(57)【特許請求の範囲】
【請求項１】
複数の信号線と複数の走査線とを有する液晶パネルと、液晶表示データに応じた表示電圧を該信号線に与える信号ドライバ回路と、該走査線に走査指示信号を与える走査ドライバ回路と、外部から供給される表示制御信号（入力制御信号）及び表示データ（入力表示データ）を該信号ドライバ回路及び走査ドライバ回路を駆動するための液晶制御信号及び液晶表示データに変換する液晶制御回路とを備える液晶表示装置において、
前記液晶制御回路は、前記入力表示データを予め定めた変換方法で変換して補正液晶表示データを出力する表示データ変換手段を具備し、
前記入力制御信号の１周期分の時間である１フレーム期間をＮ分割し（Ｎは２以上の整数、１分割期間をフィールドとする）、
前記走査線は、互いに隣接する複数の走査線を含むＮ個のグループに分けられ、
前記走査ドライバ回路は、各フィールド期間に、Ｎ個のグループのうちの２つのグループの走査線を各グループに含まれる全走査線数よりも少ない走査線毎に交互に選択し、
前記各グループの前記１フレーム期間に含まれるＮフィールド中には、前記表示データ変換手段で変換処理された補正液晶表示データで駆動するフィールドと、前記表示データ変換手段で変換処理されない液晶表示データで駆動するフィールドとが含まれていること
を特徴とする液晶表示装置。
【請求項２】
請求項１に記載の液晶表示装置において、
前記液晶制御回路は、
出力する前記液晶制御信号を前記入力制御信号のＬ倍速（Ｌは２以上の整数でＮ以下）に変換する制御信号変換手段と、
前記入力表示データを、該入力表示データに対しＬ倍速の前記液晶表示データに変換する表示データ変換手段とをさらに備えること
を特徴とする液晶表示装置。
【請求項３】
請求項１に記載の液晶表示装置において、
前記入力制御信号および入力表示データが、外部から供給されるインターレース映像信号に基づく場合、
前記１フレーム期間の奇数および偶数フィールドの各々をＮ分割し（１分割期間をサブフィールドとする）、
前記奇数フィールドに含まれるＮサブフィールド中には、奇数ラインについて、前記表示データ変換手段で変換処理された補正液晶表示データで駆動するフィールドと、液晶駆動を行わないフィールドとが含まれ、
前記偶数フィールドに含まれるＮサブフィールド中には、偶数ラインについて、前記表示データ変換手段で変換処理された補正液晶表示データで駆動するフィールドと、液晶駆動を行わないフィールドとが含まれていること
を特徴とする液晶表示装置。
【請求項４】
請求項１〜３のいずれかに記載の液晶表示装置において
前記走査ドライバ回路は、
各水平期間の第１の期間で前記２つのグループの一方のグループに含まれる走査線を選択し、前記各水平期間の第２の期間で前記２つのグループの他方のグループに含まれる走査線を選択すること
を特徴とする液晶表示装置。
【請求項５】
複数の信号線と複数の走査線を有する液晶パネルの駆動方法において、
１画面を表示するための１周期分の時間である１フレーム期間をＮ分割し（Ｎは２以上の整数、１分割期間をフィールドとする）、
前記走査線を、互いに隣接する複数の走査線を含むＮ個のグループに分け、
入力表示データに応じた表示電圧を前記信号線に与える処理と、
各フィールド期間に、Ｎ個のグループのうちの２つのグループの走査線を、該各グループに含まれる全走査線数よりも少ない走査線毎に交互に選択し、該選択した走査線に走査選択信号を与える処理と、を行い、
前記各グループの前記１フレーム期間に含まれるＮフィールド中には、入力表示データに対し所定の変換関係により変換した補正液晶表示データに対応した表示電圧を与えるフィールドと、入力表示データに対応した表示電圧を与えるフィールドとが含まれていること
を特徴とする液晶駆動方法。
【請求項６】
請求項１に記載の液晶表示装置であって、
前記走査ドライバ回路は、
１フレーム期間中の各フィールドで異なる走査方法で走査線を走査すること
を特徴とする液晶駆動装置。
【発明の詳細な説明】
【０００１】
【発明の属する技術分野】
本発明は、液晶表示装置及びその駆動方法に係り、特にアクティブマトリクス型液晶表示装置において、動画を高画質で表示可能な液晶表示装置駆動方法に関する。
【０００２】
【従来の技術】
アクティブマトリクス型液晶表示装置であるＴＦＴ液晶ディスプレイは、低消費電力、薄型、軽量に加え、目に優しいという特徴から、ノートパソコン等の情報機器の表示装置として広く採用されている。しかし、近年のマルチメディア化に伴い、液晶ディスプレイの画面上でテレビ画像やディジタルビデオディスク（ＤＶＤ）の再生等の動画を表示した場合、中間階調表示に対する応答速度が遅いために残像が発生し、表示特性が劣化してしまう。このため、ＴＦＴ液晶ディスプレイをマルチメディア対応化するにあたり、これらの問題点を解決することが課題となっている。
【０００３】
液晶表示装置の動画対応化における課題の一つとして、液晶応答速度の高速化があげられる。通常広く用いられている液晶を用いた液晶表示装置では、液晶材料の応答速度が表示信号のフレーム周期に対して同等、または遅い。このため、動画表示に対しては、残像や動画ボケ等が発生し、十分な表示性能が得られていない。例えば、図２に示すように、円形のマーク（図中表示例）が液晶表示画面上を移動するような動画表示の場合には、図中Ａ点における液晶の表示輝度（右下チャート）は、与えられた表示データ（右上チャート）に対して時間的に遅れるため、高品質の動画表示が困難となる。
【０００４】
このような課題に対して、特開平１１−４４８７４号公報には、表示信号の変化を強調する信号を表示信号に重畳して応答速度を改善する駆動方法の一例が開示されている、
【０００５】
【発明が解決しようとする課題】
上記従来技術の駆動方法によれば、液晶の応答速度は改善されるものの、１フレーム期間強調する信号は一定であり１フレーム毎の制御を前提としている。このため、応答速度の高速化が十分ではなく、１フレーム周期以下に応答速度を高速化することはできなかった。
【０００６】
また、上記従来技術の方法では１フレーム周期以下に応答速度を高速化することができないため、液晶材料の高速化が進み応答速度がフレーム周期と同等となった場合でも、上記従来技術の駆動方法を用いると応答速度が逆に遅くなり画質を改善することはできなかった。
【０００７】
また、液晶材料、液晶パネル構造の改善による液晶応答速度の高速化を図ることが、液晶パネルの製造歩留まりを低下させる要因の一つとなっている。
【０００８】
本発明は上述したような課題を考慮してなされたもので、その目的は、液晶の応答速度を１フレーム周期以下とすることが可能な液晶駆動方法と、この方法を用いた低コストで製造可能な高画質の液晶表示装置とを提供することにある。
【０００９】
【課題を解決するための手段】
上記目的を達成するために本発明は、複数の信号線と複数の走査線とを有する液晶パネルと、液晶表示データに応じた表示電圧を該信号線に与える信号ドライバ回路と、該走査線に走査指示信号を与える走査ドライバ回路と、外部から供給される表示制御信号（入力制御信号）及び表示データ（入力表示データ）を該信号ドライバ回路及び走査ドライバ回路を駆動するための液晶制御信号及び液晶表示データに変換する液晶制御回路とを備える液晶表示装置において、前記液晶制御回路に、前記入力表示データを予め定めた変換方法で変換して補正液晶表示データを出力する表示データ変換手段を設け、前記入力制御信号の１周期分の時間である１フレーム期間をＮ分割し（Ｎは２以上の整数、１分割期間をフィールドとする）、前記１フレーム期間に含まれるＮフィールド中には、前記表示データ変換手段で変換処理された補正液晶表示データで駆動するフィールドと、前記表示データ変換手段で変換処理されない液晶表示データで駆動するフィールドとが含まれていることを特徴とする。
【００１０】
また、上記本発明の液晶表示装置では、前記液晶制御回路に、出力する前記液晶制御信号を前記入力制御信号のＬ倍速（Ｌは２以上の整数でＮ以下）に変換する制御信号変換手段と、前記入力表示データを、該入力表示データに対しＬ倍速の前記液晶表示データに変換する表示データ変換手段とをさらに備える構成とすることが好ましい。
【００１１】
また、上記本発明の液晶表示装置では、前記入力制御信号および入力表示データが、外部から供給されるインターレース映像信号に基づく場合、前記１フレーム期間の奇数および偶数フィールドの各々をＮ分割し（１分割期間をサブフィールドとする）、前記奇数（偶数）フィールドに含まれるＮサブフィールド中には、奇数（偶数）ラインについて、前記表示データ変換手段で変換処理された補正液晶表示データで駆動するフィールドと、液晶駆動を行わないフィールドとが含まれている構成とすることがより好ましい。
【００１２】
また、上記本発明の液晶表示装置では、前記入力表示データの１ラインデータを前記液晶パネルの複数ラインに表示するために、前記走査ドライバ回路が複数の走査ラインを同時に選択可能な構成を有する構成としても良い。
【００１３】
また、上記目的を達成するために本発明は、複数の信号線と複数の走査線を有する液晶パネルの駆動方法において、１画面を表示するための１周期分の時間である１フレーム期間をＮ分割し（Ｎは２以上の整数、１分割期間をフィールドとする）、前記走査線には走査選択信号をＬ倍速（Ｌは２以上の整数でＮ以下）で与え、前記信号線には、Ｍフィールド（Ｍは整数でＭ＜Ｎ）では入力表示データに対しＬ倍速の、予め設定した変換関係により変換した補正液晶表示データに対応した表示電圧を与え、Ｊフィールド（Ｊは整数で（Ｎ−Ｍ）以下）では入力表示データに対応した表示電圧を与えることを特徴とする。
【００１４】
【発明の実施の形態】
本発明では、液晶の輝度応答を高速化するために、１フレームを時間的に複数に分割し、例えば、第１の分割期間（第１のフィールド）で表示オフから、予め変換した補正液晶表示データに応じた輝度（目標到達輝度）まで応答変化し、第２の分割期間（第２のフィールド）でその目標到達輝度を表示するよう制御する。
【００１５】
また、液晶表示装置は、パーソナルコンピュータ等からの表示信号を受けて表示を行うことが多いが、このような表示信号は、ＮＴＳＣ信号のようなテレビジョン信号とは解像度が異なる。このため、主に動画表示が行われるテレビジョン装置において、ＣＲＴ表示装置の代わりに液晶表示装置を用いるには、これら解像度の異なる表示信号を同じように表示するための解像度の変換手段が必要になる。
【００１６】
本発明では、上述したような解像度の変換手段として、複数走査ラインを同時に選択できるよう走査ドライバを制御する構成とした。このような構成によれば、入力する表示データの解像度を液晶パネルの解像度に対応してラインを拡大して表示することが可能となる。
【００１７】
本発明の主な実施態様は以下のとおりである。
【００１８】
本発明は、その一実施態様において、互いに直交して配置された複数の信号線と複数の走査線を有する液晶パネルと、液晶表示データに応じた表示電圧を書き込み信号により該信号線に与える信号ドライバ回路と、先頭ライン信号を走査ライン信号により取り込んで順次、該走査線に走査指示信号を与える走査ドライバ回路と、パーソナルコンピュータなどから供給される表示制御信号（入力制御信号）及び表示データ（入力表示データ）を該信号ドライバ回路及び走査ドライバ回路を駆動するための液晶制御信号及び液晶表示データに変換する液晶制御回路により構成する液晶表示装置において、入力制御信号の１周期分の時間である１フレーム期間をＮ分割し（Ｎは２以上の整数であり、１分割期間を１フィールドとする）、液晶制御回路に表示データ格納回路および表示データ変換回路を設け、出力する液晶制御信号を入力制御信号のＬ倍速（Ｌは２以上の整数、但しＬはＮ以下）に変換し、Ｍフィールド（Ｍは整数、但しＭ＜Ｎ）では、該表示データ格納回路を用いて入力表示データに対しＮ倍速の液晶表示データに変換し、さらに該表示データ変換回路によりそのデータを予め設定した変換関係を用いて補正液晶表示データに変換し、残りのＪフィールド（Ｊは整数、但しＪは（Ｎ−Ｍ）以下）では、入力表示データを変換せずそのまま液晶表示データとして出力するものとし、該液晶制御信号及び液晶表示データにより表示を行うことを特徴とする。
【００１９】
また、本発明の液晶表示装置は、他の実施態様において、１フレーム期間を２分割し（１分割期間を１フィールドとする）、液晶制御回路に表示データ格納回路および表示データ変換回路を設け、出力する液晶制御信号を入力制御信号の２倍速に変換し、第１フィールドでは該表示データ格納回路を用いて入力表示データに対し２倍速の液晶表示データに変換し、さらに該表示データ変換回路によりそのデータを予め設定した変換関係により補正液晶表示データに変換し、第２フィールドでは入力表示データを変換せずそのまま液晶表示データとして出力することを特徴とする。
【００２０】
また、本発明の液晶表示装置は、他の実施態様において、１フレーム期間を３分割し（１分割期間を１フィールドとする）、液晶制御回路に表示データ格納回路および表示データ変換回路を設け、出力する液晶制御信号を入力制御信号の２倍速に変換し、第１フィールドでは該表示データ格納回路を用いて入力表示データに対し２倍速の液晶表示データに変換し、さらに該表示データ変換回路によりそのデータを予め設定した変換関係により補正液晶表示データに変換し、第２フィールドでは入力表示データを変換せずそのまま液晶表示データとして出力し、第３フィールドでは液晶駆動を行わないようにすることを特徴とする。
【００２１】
また、本発明の液晶表示装置は、他の実施態様において、ＮＴＳＣなどのインターレース映像信号から供給される表示制御信号（入力制御信号）及び表示データ（入力表示データ）を受け付けるものであって、奇数表示ラインが供給される奇数フィールド及び偶数表示ラインが供給される偶数フィールドのそれぞれの期間をＮ分割し（Ｎは２以上の整数であり、１分割期間をサブフィールドとする）、液晶制御回路に表示データ格納回路および表示データ変換回路を設けることを特徴とする。
【００２２】
さらに、上記インターレース映像信号を受け付ける本発明の液晶表示装置では、上記奇数（偶数）フィールドにおいて、奇数（偶数）ラインの表示データは、出力する液晶制御信号を入力制御信号のＮ倍速に変換し、Ｍサブフィールド（Ｍは整数でＭ＜Ｎ）では該表示データ格納回路を用いて入力表示データに対してＮ倍速の液晶表示データに変換し、さらに該表示データ変換回路によりそのデータに予め設定した変換関係により補正液晶表示データに変換し、Ｊサブフィールド（Ｊは整数で（Ｎ−Ｍ）以下）では液晶駆動を行わないものとし、偶数（奇数）ラインの表示データは、出力する液晶制御信号を入力制御信号のＮ倍速に変換し、該表示データ格納回路を用いてＭサブフィールド（Ｍは整数でＭ＜Ｎ）では入力表示データに対してＮ倍速の液晶表示データに変換し、入力表示データを変換せずそのまま液晶表示データとして出力し、残りの（Ｎ−Ｍ）サブフィールドでは液晶駆動を行わないものとすることがより好ましい。
【００２３】
また、本発明の液晶表示装置は、他の実施態様において、ＮＴＳＣなどのインターレース映像信号から供給される表示制御信号（入力制御信号）及び表示データ（入力表示データ）を受け付けるものであって、奇数フィールド及び偶数フィールドのそれぞれの期間を３分割し（１分割期間をサブフィールドとする）、液晶制御回路に表示データ格納回路および表示データ変換回路を設ける。
【００２４】
ここで、上記奇数（偶数）フィールドにおいて、奇数（偶数）ラインの表示データは、出力する液晶制御信号を入力制御信号の３倍速に変換し、１サブフィールドでは入力表示データに対して３倍速の液晶表示データに変換し、さらにそのデータに予め設定した変換関係により補正液晶表示データに変換し、１フィールドでは入力表示データを変換せずそのまま液晶表示データとして出力し、残りの１フィールドでは駆動しないものとし、偶数（奇数）ラインの表示データは、出力する液晶制御信号を入力制御信号の３倍速に変換し、１サブフィールドでは入力表示データに対して３倍速の液晶表示データに変換し、入力表示データを変換せずそのまま液晶表示データとして出力し、残りの２フィールドでは液晶駆動を行わないものとする。
【００２５】
なお、上記各実施態様における本発明の液晶表示装置においては、走査ドライバ回路が複数の走査ラインを同時に選択し、入力表示データの１ラインデータを前記液晶パネルの複数ラインに表示する構成としても良い。
【００２６】
また、本発明は、他の実施態様において、複数の信号線と複数の走査線とを有し、該信号線には液晶表示データに応じた表示電圧を与え、一方該走査線には先頭ラインから順次、走査指示信号を与えて、表示を行う液晶駆動方法において、１画面を表示するための１周期分の時間である１フレーム期間をＮ分割し（Ｎは整数であり、この分割した１期間をフィールドとする）、前記走査線には走査選択信号をＮ倍速で与え、前記信号線にはＭフィールド（Ｍ整数でＭ＜Ｎ）では入力表示データに対しＮ倍速の、予め設定した変換関係により変換した補正液晶表示データに対応した表示電圧を与え、Ｊフィールド（Ｊは整数で（Ｎ−Ｍ）以下）では入力表示データに対応した表示電圧を与えることで、表示を行うことを特徴とする。
【００２７】
（第１の実施形態）
以下、本発明の第１の実施形態を図１から図１４を用いて説明する。第１の実施形態は、液晶の応答速度が１フィールド期間よりも遅い場合において好適な実施形態であり、従来駆動している１フレームを２つのフィールドに分割して、２倍速で駆動するものである。
【００２８】
本実施形態においては、液晶が１フィールド期間で応答しきれないものと想定し、図１に示すように、分割された第１のフィールド（フィールド１）では与えられた階調データを補正したデータに変換し、この補正表示データにより駆動する。そして、第２のフィールド（フィールド２）では与えられた階調表示データそのものにより駆動する。
【００２９】
本実施形態の駆動方法によれば、第１のフィールドでは表示データに応じた輝度（目標到達輝度）まで応答変化させ、第２のフィールドでは表示データに応じた輝度（目的到達輝度）の表示を維持することができるため、液晶輝度応答の高速化を実現することが可能となる。
【００３０】
尚、以下の説明ではノーマリー黒表示モードの液晶パネルで説明する。このため、表示オフデータは黒データ、表示オンデータが白表示に相当する。
【００３１】
さらに、本実施形態では、解像度ＶＧＡ（６４０×４８０ドット）の表示データを解像度ＸＧＡ（１０２４×７６８ドット）の液晶パネルへの拡大表示を同時に実現する。このような解像度の変換機能を設けることにより、主に動画表示が行われるテレビジョンシステムにおいて、ＣＲＴ表示装置の代わりに解像度が異なる液晶表示装置を用いることが可能となる。
【００３２】
本実施形態における液晶表示装置の構成例を図３に示す。本実施形態の液晶表示装置１００は、パーソナルコンピュータやテレビジョン信号受信装置などの表示信号源から供給される表示制御信号（１２０及び１２１）により駆動するもので、ＴＦＴ液晶パネル１０１、ＴＦＴ液晶パネル１０１の信号線に表示データに応じた電圧を与えるデータ（信号）ドライバ１０２、ＴＦＴ液晶パネル１０１のゲート線に走査信号に応じた電圧を与える走査ドライバ１０３−１及び１０３−２、上記表示信号源から供給される表示制御信号を液晶表示用の駆動信号に変換する液晶タイミングコントローラ１０４、及び、表示データ処理用のメモリ回路１０５を備える。メモリ回路１０５は、１０８、１０９をポート１、１１０、１１１をポート２とし、ポート１とポート２は独立して書き込みと読み出しが行えるものである。
【００３３】
ここで、ＴＦＴ液晶パネル１０１は１フィールド期間（８ms〜９ms程度）よりも応答速度が遅いものであり、その応答速度は例えば１６ｍｓから十数ｍｓ程度とする。また、以下の説明において、サフィックス−１、−２等を省略する場合はその記号を総称して示すものとする。
【００３４】
また、図３において、１２０は表示制御信号群（ＶＳＹＮＣ、ＨＳＹＮＣ、ＤＴＭＧ，ＤＯＴＣＬＫなど）、１２１は入力表示データ（ＩＮＤａｔａ）、１０６は液晶表示データ（ＯＵＴｄａｔａ）、１０７はデータドライバ駆動信号群、ＣＬ３は走査ドライバクロック、ＦＬＭ−１、ＦＬＭ−２は走査スタート信号、ＤＯＦＦ−１、ＤＯＦＦ−２は選択マスク制御信号、１０８、１１０はフレームメモリ制御信号群、１０９、１１１はメモリ回路の表示データ（ＦＭｄａｔａ）である。
【００３５】
液晶タイミングコントローラ１０４は、データ変換回路１３０を備え、供給される表示データＩＮｄａｔａを受け取り、２つのポートがあるメモリ回路１０５のいずれかのポートに１フレーム分の表示データＩＮＤａｔａを書き込み、１フレームを２分割した前半の期間（フィールド１）で書き込み速度の２倍の速度で書き込みを行っていないもう１つのポートから表示データの読み出しを行う。
【００３６】
なお、本実施形態では１フレームを２分割する場合には時間的期間を等分に分けるものとするが、以下に説明するような作用効果の達成を妨げないものであれば、後述する実施形態で説明するように等分に分割しない構成としても良い。
【００３７】
メモリ回路１０５から読み出した表示データのうち、フィールド１の期間に対応する表示データについては、予め設定した方法によりデータ変換回路１３０にて変換処理を行う。データ変換処理された表示データは、信号ドライバ（データドライバ）１０２へ供給し（ＯＵＴｄａｔａ）、液晶パネル１０１を表示させる。１フレームを２分割した後半の期間（フィールド２）では、メモリ回路１０５から読み出した表示データをそのまま、データドライバ１０２に供給し、液晶パネル１０１に表示させる。
【００３８】
走査ドライバ１０７−１、１０７−２には、入力の水平同期信号ＨＳＹＮＣの２倍速の信号である走査クロックＣＬ３が供給され、液晶駆動用の垂直同期信号ＦＬＭ−１、ＦＬＭ−２は１フィールド周期（入力フレーム周期の１／２）の信号が供給される。また、データドライバ１０２には、入力の水平同期信号ＨＳＹＮＣの２倍速の信号であるデータ水平クロックＣＬ１が供給される。
本実施形態の液晶表示装置の動作の詳細を、図４、図５のタイミング図を用いて説明する。
【００３９】
本実施形態では、図４に示すように、１フレームを２つのフィールドに分け、前半のフィールド１では走査ライン１から７６８を順次走査し、後半のフィールド２でも走査ライン１から７６８を順次走査する。これにより、１フレーム期間で１つの画素（走査ライン）が２回選択され、印加データ（ＯＵＴｄａｔａ）が書き込まれる。
【００４０】
このとき、走査ドライバ１０３の選択動作では、図５に示すように、走査クロックＣＬ３に同期して同時に２ラインを選択する場合と、１ラインのみ選択する場合がある。本実施形態では、順次、２ライン同時選択（走査ライン１、２）、１ライン選択（走査ライン３）、２ライン同時選択（走査ライン４、５）、２ライン同時選択（走査ライン６、７）、１ライン選択（走査ライン８）を繰り返すことで、走査クロックＣＬ３が５クロックで８ラインを選択することとなり、５ラインの表示データを８ラインに１．６倍に拡大している。
【００４１】
つまり、４８０ラインの入力データを１．６倍の７６８ラインに拡大が可能となり、解像度ＶＧＡ用の表示データを解像度ＸＧＡの液晶パネルに表示できる。また、同様に水平方向の表示データはデータドライバ１０２で２画素同時取り込みと１画素取り込みを順次行うことで、６４０画素を１．６倍の１０２４画素に拡大する。
次に、走査ドライバ１０３、データドライバ１０２の構成を説明する。
【００４２】
走査ドライバ１０３は、図６に示すように、マルチ選択シフトレジスタ５１、液晶駆動回路５３、及び、出力マスク回路５５を備えている。マルチ選択シフトレジスタ５１では走査クロックＣＬ３に同期して選択信号５２が生成される。マルチ選択シフトレジスタ５１は、例えば図７に示すような構成を備えており、フレーム開始信号ＦＬＭの値のハイレベルをフリップフロップに取り込み、順次走査クロックＣＬ３に同期してシフトする。図７のマルチ選択シフトレジスタ５１は、上記図５に示すように同時に２つの選択、１つの選択を順次行い、選択信号５２を生成する。また、液晶駆動回路５３では選択信号５２に基づいて、走査ライン選択信号５４を生成する。さらに、出力マスク回路５５では、ＤＯＦＦ信号に基づいて、走査ライン選択信号５４を出力するか、全ての出力を非選択状態にする制御を行う。
【００４３】
本実施形態の構成によれば、図５に示すように、走査ライン１、２を同時に選択し、次の走査期間では走査ライン３を選択し、次の走査期間では走査ライン４、５を同時に選択し、次の走査期間では走査ライン６、７を同時に選択し、次の走査期間では走査ライン８を選択することが可能となる。以降同様に、この動作を繰り返すことにより、走査ラインの同時選択により走査方向の拡大表示を実現する。
次に、データドライバ１０２について説明する。データドライバ１０２は、図８に示すように、マルチ選択シフトレジスタ８１、ラッチ回路（１）８３、ラッチ回路（２）８５、及び、液晶駆動回路８７を備える。データドライバ１０２では、マルチ選択シフトレジスタ８１で生成する選択信号８２によって、順次液晶タイミングコントローラ１０４から出た伝送クロックＣＬ２に同期して入力されてくる表示データ１０６（ＤＡＴＡ）を、各出力に対応してラッチ回路（１）８３に取り込む動作を行う。
【００４４】
ラッチ回路（２）８５では、ラッチ回路（１）８４でラッチした表示データをデータ水平同期信号ＣＬ１に同期して全ての出力を同時にラッチし、液晶駆動回路８７ではラッチ（２）８５のラッチデータ８６に基づいて液晶駆動電圧を生成し液晶パネル１０１を駆動する。
【００４５】
マルチ選択シフトレジスタ８１は、例えば図９に示すような構成を備えるもので、ＳＴＡＲＴ信号をデータ伝送クロックＣＬ２で取り込み、順次シフトすることで選択信号８２を生成する。図９のマルチ選択シフトレジスタは、図１０に示すように同時に２つの選択、１つの選択を順次行う機能を有する。具体的には、図１０に示すように、ラッチ選択信号Ｘ１、２を同時に選択し、次のデータ伝送期間ではラッチ選択信号Ｘ３を選択し、次のデータ伝送期間ではラッチ選択信号Ｘ４、５を同時に選択し、次のデータ伝送期間ではラッチ選択信号Ｘ６、７を同時に選択し、次のデータ伝送期間ではラッチ選択信号Ｘ８を選択する。以降同様に、この動作を繰り返すことにより、データの同時取り込みにより水平ライン方向の拡大表示を実現する。
再び、本実施形態の液晶表示装置の動作を図１１を参照して説明する。
【００４６】
図１１において、外部装置から与えられる表示制御信号のＶＳＹＮＣは垂直同期信号であり、その１周期を１フレームとする。ＨＳＹＮＣは水平同期信号であり、１フレームを構成する水平ライン相当分のクロック数である。ＩＮｄａｔａは、ＨＳＹＮＣに同期して供給される表示データであり、図５中のＩＮｄａｔａに記載するＬｍの値はｍライン目の表示データであることを示す。
【００４７】
液晶タイミングコントローラ１０４は、ＩＮｄａｔａを受け取り、２つのポートを持つメモリ回路１０５のどちらかに１フレーム分の表示データＩＮｄａｔａを書き込み、一方、１フレームを２等分した前半の期間（フィールド１）で書き込み速度の２倍の速度で書き込みを行っていない別のポートのメモリから表示データの読み出しを行う。つまり図４において、フレーム１では、ポート１（１０８、１０９）で書き込みを行いポート２（１１０、１１１）から読み出しを行い、フレーム２では、ポート２（１１０、１１１）で書き込みを行いポート１（１０８、１０９）から読み出しを行う。また、液晶タイミングコントローラ１０４は、ＶＳＹＮＣ，ＨＳＹＮＣを２倍速化した液晶の同期信号ＦＬＭ、ＣＬ１、ＣＬ３をデータドライバ１０２及び走査ドライバ１０３に供給する。
【００４８】
さらに、フィールド１の期間ではフレームメモリから読み出した表示データを予め定めた変換方法によりデータ変換処理を行い、ＯＵＴｄａｔａとしてデータドライバ１０２に供給する。ここで、フィールド１のＯＵＴｄａｔａに記載するＤＬｍＦｎの値はｎフレームのｍライン目の表示データを変換した後の表示データであることを示す。また、フィールド２においてはフレームメモリから読み出した表示データをそのまま、データドライバ１０２に供給する。
【００４９】
これら液晶駆動用の制御信号、表示データにより駆動を行った時、ＴＦＴ液晶パネル１０１の走査線にはＣＬ３に従って先頭ライン（ライン１）から順次ゲート書き込みパルスが印加される。一方、信号線にはＣＬ１に従い、ＯＵＴｄａｔａに応じた階調電圧が供給され、ゲートパルスが印加された走査線上の表示画素に表示を行う。
【００５０】
従って、例えばライン１、ライン２上の画素Ａ、画素Ｂにおいては、フレーム２のフィールド１では、走査ライン１、２にゲート書き込みパルスが供給された時に、信号線にはその時の予め定めた変換方法によりデータ変換処理を行った表示データ値ＤＬ１Ｆ１に応じた信号電圧が供給され、次のゲート書き込みパルスが供給されるまで、この信号電圧に応じたドレイン電圧を保持し表示を行う。
【００５１】
次にフィールド２では、走査ライン１、２にゲート書き込みパルスが供給された時に信号線にはデータ変換処理を行っていないその時の表示データ値ＤＬ１Ｆ１に応じた信号電圧が供給され、次のゲート書き込みパルスが供給されるまで、この信号電圧に応じたドレイン電圧を保持し表示を行う。この時、液晶はフレーム２のフィールド１で前フレームの表示輝度レベルからＬ１Ｆ１輝度（フィールド１の到達輝度）レベルに応答し、フィールド２ではＬ１Ｆ１輝度レベルを保持する応答になる。同様にフレーム３においてはフィールド１で前フレームの表示輝度レベルからＤＬ１Ｆ２輝度レベルに応答し、フィールド２ではＬ１Ｆ２輝度レベルを保持する応答になる。
【００５２】
ここで輝度及び、液晶タイミングコントローラ１０６に内蔵する表示データ変換回路１３０について図１２を用いて説明する。図１２は本実施形態における表示データに対する輝度応答波形を示す図である。
【００５３】
本実施形態のＴＦＴ液晶パネル１０１は、その表示応答が１６ｍｓから十数ｍｓ以下である場合、表示データａの表示輝度応答は黒表示輝度レベルから目標到達輝度レベルＢａに達するまで８．６ｍｓ以上（１フィールド以上）掛かってしまう。このため、この表示データａでそのまま表示すると１フィールド期間では実際に輝度レベルＢａ’までしか到達せず、所望の表示輝度よりも低下することになる。一方、１フィールド期間で輝度レベルＢａまで到達することを考慮した場合、図１２に示すように、表示データ値がｂ（ｂはａよりも大きな値＝高輝度データ）により駆動すると、１フィールド期間で輝度レベルＢａまで到達する。
【００５４】
そこで、本実施形態では、表示データをａからｂに変化させるよう変換するための表示データ変換回路１３０を設けた。尚、表示データの変換は前フレームから現フレームへの遷移を考慮した、図１２に一例を示したように応答が高速化するよう設定するものとする。
【００５５】
データ変換回路回路１３０は、例えば図１３に示すように、表示データ変換回路１３１及び表示データ変換テーブル１３２を備える。表示データ変換回路１３１は、液晶タイミングコントローラ１０６内にフレームメモリから読み出した表示データを、上記に示したように変換する。表示データ変換回路１３１は予め設定した表示データ変換テーブル１３２を参照することで表示データの変換処理を実施する。尚、表示データ変換テーブル１３２の設定値は、液晶パネル１０１の応答性能、駆動温度条件、駆動速度（１フィールド時間）などのパラメータにあわせて設定するものとする。
【００５６】
以上、説明したように１フレーム期間の応答波形は、図１４に示すように、第１フィールドでは表示する表示データをデータ変換処理した表示データで駆動し、表示する表示輝度まで応答し、第２フィールド期間ではデータ変換処理を行わないで表示する表示データで駆動し、表示する表示輝度を保持する応答波形となる。
本実施形態によれば、液晶表示の輝度応答の高速化を実現し、さらに、解像度ＶＧＡ（６４０×４８０ドット）の表示データを解像度ＸＧＡ（１０２４×７６８ドット）の液晶パネルへの拡大表示を同時に実現することができる。
【００５７】
なお、本実施形態では１フレームを２分割しているが、本発明において１フレームの分割数はこれに限定されるものではなく、以下の実施形態に説明するように１フレームを３以上に分割する構成としても良い。
【００５８】
（第２の実施形態）
以下、本発明の第２の実施形態を図１５〜図２０を用いて説明する。本実施形態では、液晶の応答速度が遅い場合（具体的には１６ｍｓから十数ｍｓ程度）を想定しており、従来の駆動方法における１フレームを、例えば図１５に示すように、３つのフィールドに分割して駆動する。
【００５９】
本実施形態では、分割した１フィールド期間が５ｍｓ〜６ｍｓ程度となり、その液晶が応答しきれない。このため、第１フィールドでは与えられた階調データを補正したデータに変換し、この補正表示データにより駆動する。そして、第２フィールドでは与えられた階調表示データにより駆動し、第３フィールドでは駆動を行わないことにより、液晶表示の応答の高速化を実現する。
【００６０】
本実施形態の駆動方法によれば、第１のフィールドでは表示データに応じた輝度（目標到達輝度）まで応答変化し、第２のフィールドでは表示データに応じた輝度（目標到達輝度）の表示を行いうことにより、液晶の輝度応答の高速化を実現する。さらに、本実施形態では、上記液晶輝度応答の高速化に加えて、解像度ＶＧＡ（６４０×４８０ドット）の表示データを用いて解像度ＸＧＡ（１０２４×７６８ドット）の液晶パネルへの拡大表示を同時に実現する。
本実施形態の液晶表示装置２００は、例えば図１６に示すように、ＴＦＴ液晶パネル２０１、信号ドライバ（データドライバ）２０２、走査ドライバ２０３−１、２０３−２、２０３−３、液晶タイミングコントローラ２０４、及び、表示データ処理用のメモリ回路２０５を備えている。メモリ回路２０５は、２０８、２０９をポート１、２１０、２１１をポート２とし、ポート１とポート２は独立して書き込みと読み出しが行えるものである。
【００６１】
また、図１６において、２２０は表示制御信号群（ＶＳＹＮＣ、ＨＳＹＮＣ、ＤＴＭＧ，ＤＯＴＣＬＫなど）、２２１は入力表示データ（ＩＮｄａｔａ）、２０６は液晶表示データ（ＯＵＴｄａｔａ）、２０７はデータドライバ駆動信号群、ＣＬ３は走査ドライバクロック、ＦＬＭ−１、ＦＬＭ−２、ＦＬＭ−３は走査スタート信号、ＤＯＦＦ−１、ＤＯＦＦ−２、ＤＯＦＦ−３は選択マスク制御信号、２０８、２１０はフレームメモリ制御信号群、２０９、２１１はメモリ回路２０５の表示データである。
【００６２】
液晶タイミングコントローラ２０４は、データ変換回路２３０を備え、供給される表示データＩＮｄａｔａを１ライン毎に、入力の水平同期信号ＨＳＹＮＣの水平期間を２等分した前半の期間に入力の２倍の速度で書き込みを行い、次のフレームでは別のポートに同様に書込みを行う。表示データの読み出しは、入力の水平同期信号ＨＳＹＮＣの水平期間を２等分した前半の期間に書込みとは別のポートに、入力の２倍の速度で読み出しを行い、入力の水平同期信号ＨＳＹＮＣの水平期間を２等分した後半の期間では書込みと同じポートに、入力の２倍の速度で読み出しを行う。
【００６３】
例えば１ライン目の表示データは、１フレームを３等分した１番目のフィールド１においては予め設定した変換方法によりデータ変換処理を行い、データドライバ２０２へ供給し（ＯＵＴｄａｔａ）、液晶パネル１０１を表示させる。次に１フレームを３等分した２番目のフィールド２においてはメモリ回路２０５から読み出した表示データをそのまま、データドライバ２０２に供給し、液晶パネル２０１を表示させる。このように、各ラインの表示データは１フレーム期間に２回読み出される。
【００６４】
走査ドライバ２０３−１、２０３−２、２０３−３には、入力の水平同期信号ＨＳＹＮＣの２倍速の信号である走査クロックＣＬ３が供給され、液晶駆動用の垂直同期信号ＦＬＭ−１、ＦＬＭ−２、ＦＬＭ−３は１フィールド周期（入力フレーム周期の１／３）の信号が供給され、データドライバ１０２には、入力の水平同期信号ＨＳＹＮＣの２倍速の信号であるデータ水平クロックＣＬ１が供給されている。
本実施形態の液晶表示装置の動作を、図１７〜図２０のタイミング図を用いて詳細説明する。本実施形態では、図１７に示すように、フレームを３つのフィールドに分け、第１フィールドでは走査ライン１から２５６を走査パターンＳＣ１で、走査ライン５１３から７６８を走査パターンＳＣ２で順次走査し、第２フィールドでは走査ライン１から２５６を走査パターンＳＣ２で、走査ライン２５７から５１２を走査パターンＳＣ１で順次走査し、第３フィールドでは走査ライン２５７から５１２を走査パターンＳＣ２で、走査ライン５１３から７６８を走査パターンＳＣ１で順次走査する。
【００６５】
上記駆動方法により、１フレーム期間で１つの画素（走査ライン）が３フィールド中の２つのフィールドで２回選択され、印加データ（ＯＵＴｄａｔａ）が書き込まれる。このとき、走査ドライバ２０３の選択動作は図１８、図１９に示す走査パターンＳＣ１と走査パターンＳＣ２のように、走査クロックＣＬ３に同期して同時に２ラインを選択する場合と、１ラインのみ選択する場合がある。すなわち、図１８の走査パターンＳＣ１では走査クロックＣＬ３の周期の前半のみに選択動作を行い、図１９の走査パターンＳＣ２では走査クロックＣＬ３の周期の後半のみに選択動作を行う。この動作は、図１８、図１９に示すＤＯＦＦ信号により走査ドライバ２０２の出力をマスクすることにより実現できる。
【００６６】
そして、図１８、図１９に示すように、走査クロックＣＬ３の周期の前半または後半において、順次、２ライン同時選択（走査ライン１、２）、１ライン選択（走査ライン３）、２ライン同時選択（走査ライン４、５）、２ライン同時選択（走査ライン６、７）、１ライン選択（走査ライン８）を繰り返すことで、走査クロックＣＬ３が５クロックで８ラインを選択することとなり、５ラインの表示データを８ラインに１．６倍に拡大できる。
【００６７】
つまり、４８０ラインの入力データを１．６倍の７６８ラインに拡大が可能となり、解像度ＶＧＡの表示データを解像度ＸＧＡの液晶パネルに表示することが可能となる。また、同様に水平方向の表示データはデータドライバ２０２で２画素同時取り込みと１画素取り込みを順次行うことで、６４０画素を１．６倍の１０２４画素に拡大する。
【００６８】
本実施形態の走査ドライバ２０３、データドライバ２０２の構成と動作は、上記第１の実施形態の走査ドライバ１０３及びデータドライバ１０２（図６、図７、図８、図９参照）と同様であるため、これらに関する詳細説明は省略する。なお、本実施形態では、走査ドライバ２０３による走査ラインの同時選択により走査方向の拡大表示を、データドライバ２０２によるデータの同時取り込みにより水平ライン方向の拡大表示を実現する。
再び、本実施形態の液晶表示装置の動作を図２０を用いて説明する。図２０において、パーソナルコンピュータなどから与えられる表示制御信号のＶＳＹＮＣは垂直同期信号であり、その１周期を１フレームとする。ＨＳＹＮＣは水平同期信号であり、１フレームを構成する水平ライン分のクロック数である。ＩＮｄａｔａは、ＨＳＹＮＣに同期して供給される表示データであり、図２０中のＩＮｄａｔａに記載するＬｍの値はｍライン目の表示データであることを示す。
【００６９】
液晶タイミングコントローラ２０４は、ＩＮｄａｔａを受け取り、２つのポートを持つメモリ回路２０５のどちらかに１フレーム分の表示データＩＮｄａｔａを１ライン毎に、入力の水平同期信号ＨＳＹＮＣの水平期間を２等分した前半の期間に入力の２倍の速度で書き込みを行い、一方、表示データの読み出しは、入力の水平同期信号ＨＳＹＮＣの水平期間を２等分した前半の期間に書込みとは別のポートに、入力の２倍の速度で読み出しを行い、入力の水平同期信号ＨＳＹＮＣの水平期間を２等分した後半の期間では書込みと同じポートに、入力の２倍の速度で読み出しを行う。
【００７０】
つまり図１７において、フレーム１では入力の水平同期信号ＨＳＹＮＣの水平期間を２等分した前半の期間にポート１（２０８、２０９）で書き込みを行い、入力の水平同期信号ＨＳＹＮＣの水平期間を２等分した前半の期間にポート２（２１０、２１１）、入力の水平同期信号ＨＳＹＮＣの水平期間を２等分した後半の期間ではポート１（２０８、２０９）から読み出しを行う。また、フレーム２では、入力の水平同期信号ＨＳＹＮＣの水平期間を２等分した前半の期間にポート２（２１０、２１１）で書き込みを行い、入力の水平同期信号ＨＳＹＮＣの水平期間を２等分した前半の期間にポート１（２０８、２０９）、入力の水平同期信号ＨＳＹＮＣの水平期間を２等分した後半の期間ではポート２（２１０、２１１）から読み出しを行う。
【００７１】
また、液晶タイミングコントローラ２０４は、ＶＳＹＮＣ，ＨＳＹＮＣを２倍速化した液晶の同期信号ＦＬＭ、ＣＬ１、ＣＬ３をデータドライバ２０２及び走査ドライバ２０３に供給する。走査ドライバ２０３−１、２０３−２、２０３−３に走査ラインの１〜２５６、２５７〜５１２、５１３〜７６８を対応させ、それぞれのＦＬＭ−１、ＦＬＭ−２、ＦＬＭ−３を図１７のように制御することで各走査ラインを各フィールドでパターンＳＣ１、ＳＣ２に制御できる。
【００７２】
さらに、パターンＳＣ１の走査ラインでは、フレームメモリから読み出した表示データを予め定めた変換方法によりデータ変換処理を行い、ＯＵＴｄａｔａとしてデータドライバ２０２に供給する。ここで、フィールド１のＯＵＴｄａｔａに記載するＤＬｍＦｎの値はｎフレームのｍライン目の表示データを変換した後の表示データであることを示す。また、パターンＳＣ２の走査ラインにおいては、フレームメモリから読み出した表示データをそのまま、データドライバ２０２に供給する。
【００７３】
これら液晶駆動用の制御信号、表示データにより駆動を行った時、ＴＦＴ液晶パネル２０１の走査線にはＣＬ３に従って先頭ライン（ライン１）から順次ゲート書き込みパルスが印加される。一方、信号線にはＣＬ１に従い、ＯＵＴｄａｔａに応じた階調電圧が供給され、ゲートパルスが印加された走査線上の表示画素に表示を行う。
【００７４】
従って、例えばＴＦＴ液晶パネル２０１のライン１、ライン２上の画素Ａ、画素Ｂにおいては、フレーム２のフィールド１では、走査ライン１、２にゲート書き込みパルスが供給された時に信号線にはその時の予め定めた変換方法によりデータ変換処理を行った表示データ値ＤＬ１Ｆ１に応じた信号電圧が供給され、次のゲート書き込みパルスが供給されるまで、この信号電圧に応じたドレイン電圧を保持し表示を行う。
【００７５】
次に、フィールド２では、走査ライン１、２にゲート書き込みパルスが供給された時に信号線にはデータ変換処理を行っていないその時の表示データ値ＤＬ１Ｆ１に応じた信号電圧が供給され、次のゲート書き込みパルスが供給されるまで、この信号電圧に応じたドレイン電圧を保持し表示を行う。
【００７６】
この時、液晶はフレーム２のフィールド１で前フレームの表示輝度レベルからＬ１Ｆ１輝度（フィールド１の到達輝度）レベルに応答し、フィールド２ではＬ１Ｆ１輝度レベルを保持しする応答になる。同様にフレーム３においてはフィールド１で前フレームの表示輝度レベルからＤＬ１Ｆ２輝度レベルに応答し、フィールド２ではＬ１Ｆ２輝度レベルを保持する応答になる。
【００７７】
ここで、液晶タイミングコントローラ２０６に内蔵する表示データ変換回路２３０は、図１３に示した上記第１の実施形態の表示データ変換回路１３０と同様の構成および動作であり、本実施形態ではその説明を省略する。
【００７８】
以上、説明したように１フレーム期間の応答波形は、図１５に示すように、第１フィールド期間では表示する表示データをデータ変換処理した表示データで駆動し、表示する表示輝度まで応答し、第２フィールド期間ではデータ変換処理を行わないで表示する表示データで駆動し、表示する表示輝度を保持し、第３フィールドでは駆動を行わず表示輝度を保持する応答波形となる。
本実施形態によれば、液晶表示の輝度応答の高速化を実現し、さらに、解像度ＶＧＡ（６４０×４８０ドット）の表示データを解像度ＸＧＡ（１０２４×７６８ドット）の液晶パネルへの拡大表示を同時に実現することが可能となる。
【００７９】
（第３の実施形態）
次に、本発明の第３の実施形態を図２１〜図２８を用いて説明する。本実施形態では、液晶の応答速度が遅い場合（具体的には１６ｍｓから十数ｍｓ程度）を前提としており、ＮＴＳＣのインターレースの表示データ（奇数フィールドでは奇数ラインの表示データ、偶数フィールドでは偶数ラインの表示データが転送される）を解像度ＸＧＡ（１０２４×７６８ドット）の液晶パネルへの拡大表示を行い、従来駆動している１フレームの奇数フィールドと偶数フィールドをそれぞれ３つのサブフィールドに分割して駆動する。
【００８０】
本実施形態の各サブフィールド期間（５ｍｓから６ｍｓ）では液晶が応答しきれないため、図２１に示すように、奇数フィールド期間では、第１のサブフィールドでは与えられた階調データを補正したデータに変換し、この補正表示データにより駆動し、第２のサブフィールドでは与えられた階調表示データにより駆動し、第３サブフィールドではそのまま保持し駆動を行わないことにより、液晶表示の応答の高速化を実現する。また、偶数フィールド期間では、第１のサブフィールドでは与えられた階調表示データにより駆動し、第２、第３のサブフィールドではそのまま保持し駆動を行わない。
【００８１】
本実施形態の駆動方法により、第１のサブフィールドでは表示データに応じた輝度（目標到達輝度）まで応答変化し、第２のサブフィールドでは表示データに応じた輝度（目的到達輝度）の表示を行い、本駆動により、液晶の輝度応答の高速化を実現する。さらに、本実施形態では、インターレースのＮＴＳＣ信号の表示データを解像度ＸＧＡ（１０２４×７６８ドット）の液晶パネルへの拡大表示を同時に実現する。
【００８２】
本実施形態における液晶表示装置３００の構成例を図２２に示す。本実施形態の装置は、ＴＦＴ液晶パネル３０１、ＴＦＴ液晶パネル３０１の信号線に表示データに応じた電圧を与えるデータドライバ３０２、ＴＦＴ液晶パネル３０１のゲート線に走査信号に応じた電圧を与える走査ドライバ３０３−１、３０３−２、３０３−３、パーソナルコンピュータなどの表示信号源から供給される表示制御信号を液晶表示用の駆動信号に変換する液晶タイミングコントローラ３０４、および、表示データ処理用のメモリ回路３０５を備えている。ここで、ＴＦＴ液晶パネル３０１は応答速度が遅いものとする。また、メモリ回路３０５は、３０８、３０９をポート１、３１０、３１１をポート２とし、ポート１とポート２は独立して書き込みと読み出しが行えるものである。
【００８３】
本実施形態の液晶表示装置３００は、ＮＴＳＣ表示信号を表示信号源とした表示制御信号（３２０及び３２１）により駆動するものである。図２２において、３２０は表示制御信号群（ＶＳＹＮＣ、ＨＳＹＮＣ、ＤＴＭＧ，ＤＯＴＣＬＫなど）、３２１は入力表示データ（ＩＮｄａｔａ）、３０６は液晶表示データ（ＯＵＴｄａｔａ）、３０７はデータドライバ駆動信号群、ＣＬ３−１、ＣＬ３−２、ＣＬ３−３は走査ドライバクロック、ＦＬＭ−１、ＦＬＭ−２、ＦＬＭ−３は走査スタート信号、ＤＯＦＦ−１、ＤＯＦＦ−２、ＤＯＦＦ−３は選択マスク制御信号、３０８、３１０はフレームメモリ制御信号群、３０９、３１１はメモリ回路の表示データである。
【００８４】
液晶タイミングコントローラ３０４では、供給される表示データＩＮｄａｔａを受け取り、２つのポートがあるメモリ回路３０５のいずれかのポートからに１フレーム分の表示データＩＮｄａｔａを１ライン毎に、入力の水平同期信号のＨＳＹＮＣの水平期間に書き込みを行い、入力の水平同期信号のＨＳＹＮＣの水平期間を３等分した第１から第３の期間それぞれで１ラインの表示データを書込みとは別のポートで入力の３倍の速度で読み出しを行う。
【００８５】
つまり図２３において、フレーム１では入力の水平同期信号ＨＳＹＮＣの水平期間にポート１（２０８、２０９）で書き込みを行い、入力の水平同期信号ＨＳＹＮＣの水平期間を３等分した第１から第３の期間にポート２（２１０、２１１）から読み出しを行う。また、フレーム２では、入力の水平同期信号ＨＳＹＮＣの水平期間にポート２（２１０、２１１）で書き込みを行い、入力の水平同期信号ＨＳＹＮＣの水平期間を３等分した第１から第３の期間にポート１（２０８、２０９）から読み出しを行う。
【００８６】
例えば、１ライン目の表示データは、図２１及び図２３に示すように、奇数フィールドを３等分した第１サブフィールドにおいては予め設定した方法によりデータ変換処理を行い、データドライバ３０２へ供給し（ＯＵＴｄａｔａ）、液晶パネル３０１を表示させる。次に奇数フィールドを３等分した第２サブフィールドではメモリ回路から読み出した表示データをそのまま、データドライバ３０２に供給し、液晶パネル３０１を表示させる。次に奇数フィールドを３等分した第３サブフィールドでは１ライン目は駆動せずに表示を保持する。
【００８７】
次の偶数フィールドを３等分した第１サブフィールドにおいては、メモリ回路３０５から読み出した表示データデータをそのままデータドライバ３０２へ供給し（ＯＵＴｄａｔａ）、液晶パネル３０１を表示させる。次に偶数フィールドを３等分した第２サブフィールド、第３サブフィールドでは１ライン目は駆動せずに表示を保持し、液晶パネル３０１を表示させる。走査ドライバ３０３−１、３０３−２、３０３−３には、入力の水平同期信号ＨＳＹＮＣの３倍速の信号である走査クロックＣＬ３−１、ＣＬ３−２、ＣＬ３−３がそれぞれ供給され、液晶駆動用の垂直同期信号ＦＬＭ−１、ＦＬＭ−２、ＦＬＭ−３は１フィールド周期（入力フレーム周期の１／３）の信号が供給され、データドライバ３０２には、入力の水平同期信号ＨＳＹＮＣの２倍速の信号であるデータ水平クロックＣＬ１が供給されている。
この液晶表示装置の動作の詳細を、図２１、図２３〜図２８のタイミング図を用いて再度、説明する。
【００８８】
本実施形態では、図２３に示すように、奇数フィールド、偶数フィールドをそれぞれ３つのサブフィールドに分け、奇数フィールドの第１サブフィールドでは走査ライン１から２５６を走査パターンＳＣ１で、走査ライン５１３から７６８を走査パターンＳＣ２で順次走査し、第２サブフィールドでは走査ライン１から２５６を走査パターンＳＣ３で、走査ライン２５７から５１２を走査パターンＳＣ１で順次走査し、第３サブフィールドでは走査ライン２５７から５１２を走査パターンＳＣ３で、走査ライン５１３から７６８を走査パターンＳＣ１で順次走査する。
【００８９】
また、偶数フィールドの第１サブフィールドでは走査ライン１から２５６を走査パターンＳＣ１で、走査ライン５１３から７６８を走査パターンＳＣ３で順次走査し、第２サブフィールドでは走査ライン１から２５６を走査パターンＳＣ２で、走査ライン２５７から５１２をを走査パターンＳＣ１で順次走査し、第３サブフィールドでは走査ライン２５７から５１２を走査パターンＳＣ２で、走査ライン５１３から７６８を走査パターンＳＣ１で順次走査する。
【００９０】
これにより、１フレーム期間で１つの画素（走査ライン）が奇数フィールド、偶数フィールドそれぞれ３サブフィールド、合計６サブフィールド中の３つのサブフィールドで３回選択され、印加データ（ＯＵＴｄａｔａ）が書き込まれる。このとき、走査ドライバ３０３の選択動作は図２４、図２５、図２６に示す走査パターンＳＣ１、走査パターンＳＣ２、走査パターンＳＣ３のように、走査クロックＣＬ３に同期して同時に２ラインを選択する場合と、１ラインのみ選択する場合があり、図２４の走査パターンＳＣ１では入力水平期間の第１、第２期間に選択動作を行い、図２５の走査パターンＳＣ２では入力水平期間の第３期間に選択動作を行い、図２６の走査パターンＳＣ３では入力水平期間の第３期間に選択動作を行う。この動作は、図２４、図２５、図２６に示すＤＯＦＦ信号により走査ドライバ３０２の出力をマスクすることにより実現できる。
【００９１】
そして、図２４、図２５、図２６に示すように、入力水平期間の第１、第２、第３期間において、順次、２ライン同時選択（走査ライン１、２）、１ライン選択（走査ライン３）、２ライン同時選択（走査ライン４、５）、２ライン同時選択（走査ライン６、７）、１ライン選択（走査ライン８）を繰り返すことで、入力水平期間の５期間で８ラインを選択することとなり、５ラインの表示データを８ラインに１．６倍に拡大できる。つまり、４８０ラインの入力データを１．６倍の７６８ラインに拡大が可能となり４８０ラインの表示データを解像度ＸＧＡの液晶パネルに表示できる。また、同様に水平方向の表示データはデータドライバ３０２で２画素同時取り込みと１画素取り込みを順次行うことで、６４０画素を１．６倍の１０２４画素に拡大する。
【００９２】
本実施形態においては、走査ドライバ３０３による走査ラインの同時選択により走査方向の拡大表示を、データドライバ３０２によるデータの同時取り込みにより水平ライン方向の拡大表示を実現する。本実施形態の走査ドライバ３０３、データドライバ３０２の構成と動作は、例えば図６、図７、図８、図９に示す上記第１の実施形態と同様であり、本実施形態での説明は省略する。
本実施形態の液晶表示装置の動作を詳細説明する。
【００９３】
図２７、図２８において、パーソナルコンピュータなどから与えられる表示制御信号のＶＳＹＮＣは垂直同期信号であり、その１周期を１フレームとする。ＨＳＹＮＣは水平同期信号であり、１フレームを構成する水平ライン分のクロック数である。ＩＮｄａｔａは、Ｈｓｙｎｃに同期して供給される表示データであり、図２７中のＩＮｄａｔａに記載するＬｍの値はｍライン目の表示データであることを示す。
【００９４】
液晶タイミングコントローラ３０４は、ＩＮｄａｔａを受け取り、２つのポートを持つメモリ回路３０５のどちらかのポートに、１フレーム分の表示データＩＮｄａｔａを１ライン毎に書き込みを行う。一方、表示データの読み出しは書込みとは別のポートで、入力の水平期間を３等分した第１から第３期間それぞれで１ラインの表示データを、入力の３倍の速度で読み出しを行う。つまり図２３において、フレーム１では、ポート１（３０８、３０９）で書き込みを行いポート２（３１０、３１１）から読み出しを行い、フレーム２では、ポート２（３１０、２１１）で書き込みを行いポート１（３０８、３０９）から読み出しを行う。
【００９５】
また、液晶タイミングコントローラ３０４は、ＶＳＹＮＣ，ＨＳＹＮＣを３倍速化した液晶の同期信号ＦＬＭ、ＣＬ１、ＣＬ３をデータドライバ３０２及び走査ドライバ３０３に供給する。走査ドライバ３０３−１、３０３−２、３０３−３に走査ラインの１〜２５６、２５７〜５１２、５１３〜７６８を対応させ、それぞれのＦＬＭ−１、ＦＬＭ−２、ＦＬＭ−３とＤＯＦＦ−１、ＤＯＦＦ−２、ＤＯＦＦ−３を図２４、図２５、図２６のように制御することで、各走査ラインを各サブフィールドでＳＣ１、ＳＣ２、ＳＣ３のパターンのように制御できる。
【００９６】
さらに、奇数フィールド期間のＳＣ１の奇数ラインデータの走査ラインではフレームメモリから読み出した表示データを予め定めた変換方法によりデータ変換処理を行い、ＯＵＴｄａｔａとしてデータドライバ３０２に供給し、偶数ラインデータの走査ラインではフレームメモリから読み出した表示データをそのまま、データドライバ３０２に供給する。逆に、偶数フィールド期間のＳＣ１の偶数ラインデータの走査ラインではフレームメモリから読み出した表示データを予め定めた変換方法によりデータ変換処理を行い、ＯＵＴｄａｔａとしてデータドライバ３０２に供給し、奇数ラインデータの走査ラインではフレームメモリから読み出した表示データをそのまま、データドライバ３０２に供給する。
【００９７】
ここで、フィールド１のＯＵＴｄａｔａに記載するＤＬｍＦｎの値はｎフレームのｍライン目の表示データを変換した後の表示データであることを示す。また、ＳＣ２、ＳＣ３の走査ラインではフレームメモリから読み出した表示データをそのまま、データドライバ３０２に供給する。
【００９８】
これら液晶駆動用の制御信号、表示データにより駆動を行った時、ＴＦＴ液晶パネル３０１の走査線にはＣＬ３に従って先頭ライン（ライン１）から順次ゲート書き込みパルスが印加される。一方、信号線にはＣＬ１に従い、ＯＵＴｄａｔａに応じた階調電圧が供給され、ゲートパルスが印加された走査線上の表示画素に表示を行う。
【００９９】
従って、ライン１、ライン２上の画素Ａ、画素Ｂにおいては、奇数フィールドのサブフィールド１では、走査ライン１、２にゲート書き込みパルスが供給された時に信号線にはその時の予め定めた変換方法によりデータ変換処理を行った表示データ値ＤＬ１Ｆ１に応じた信号電圧が供給され、次のゲート書き込みパルスが供給されるまで、この信号電圧に応じたドレイン電圧を保持し表示を行う。次のサブフィールド２では、走査ライン１、２にゲート書き込みパルスが供給された時に信号線にはデータ変換処理を行っていないその時の表示データ値ＤＬ１Ｆ１に応じた信号電圧が供給され、次のゲート書き込みパルスが供給されるまで、この信号電圧に応じたドレイン電圧を保持し表示を行う。
【０１００】
この時、液晶は奇数フィールドのサブフィールド１で前偶数フィールドの表示輝度レベルからＬ１Ｆ１輝度（フィールド１の到達輝度）レベルに応答し、サブフィールド２ではＬ１Ｆ１輝度レベルを保持しする応答になる。次の偶数フィールドではサブフィールド１ではＬ１Ｆ１輝度レベルを保持する応答になる。ここで液晶タイミングコントローラ３０６に内蔵する表示データ変換回路３３０は、上記図１３に示した第１の実施形態のものと同様であり、本実施形態ではその説明を省略する。
【０１０１】
データ変換回路３３０では前フレームから現フレームへの遷移を考慮した、応答が高速化するよう変換テーブルに設定するものとする。尚、この変換テーブル１３２の設定値は、液晶パネル３０１の応答性能、駆動温度条件、駆動速度（１サブフィールド時間）などのパラメータにあわせて設定する必要がある。
【０１０２】
以上、説明したように１フレーム期間の応答波形は、図２１に示すように、奇数ラインデータを表示するラインは、奇数フィールドの第１サブフィールドでは表示する表示データをデータ変換処理した表示データで駆動し、表示する表示輝度まで応答し、第２サブフィールド期間ではデータ変換処理を行わないで表示する表示データで駆動し、表示する表示輝度を保持し、第３サブフィールドでは駆動を行わず表示輝度を保持し、偶数フィールドの第１サブフィールド期間ではデータ変換処理を行わないで表示する表示データで駆動し、表示する表示輝度を保持する応答波形となる。
【０１０３】
また、偶数ラインデータを表示するラインは、偶数フィールドの第１サブフィールドでは表示する表示データをデータ変換処理した表示データで駆動し、表示する表示輝度まで応答し、第２サブフィールド期間ではデータ変換処理を行わないで表示する表示データで駆動し、表示する表示輝度を保持し、第３サブフィールドでは駆動を行わず表示輝度を保持し、奇数フィールドの第１サブフィールド期間ではデータ変換処理を行わないで表示する表示データで駆動し、表示する表示輝度を保持する応答波形となる。
本実施形態によれば、液晶表示の輝度応答の高速化を実現し、さらに、インターレース信号であるＮＴＳＣ表示信号の表示データを解像度ＸＧＡ（１０２４×７６８ドット）の液晶パネルへの拡大表示を同時に実現する。
【０１０４】
（第４の実施形態）
次に、本発明の第４の実施形態を図２９〜図３８を用いて説明する。本実施形態は、上記第３の実施形態と同様の装置構成を備えるが、駆動方法が異なるもので、特に一つの画素の選択方法が異なる。本実施形態では、選択間隔が等間隔となる。
【０１０５】
また、本実施形態は、液晶の応答速度が遅い場合（具体的には１６ｍｓから十数ｍｓ程度）であり、ＮＴＳＣのインターレースの表示データ（奇数フィールドでは奇数ラインの表示データ、偶数フィールドでは偶数ラインの表示データが転送される）を解像度ＸＧＡ（１０２４×７６８ドット）の液晶パネルへの拡大表示を行い、従来駆動している１フレームの奇数フィールドと偶数フィールドをそれぞれ３つのサブフィールドに分割して駆動する。
【０１０６】
本実施形態では、１サブフィールド期間（５ｍｓから６ｍｓ）では液晶が応答しきれないため、奇数ラインは、奇数フィールド期間で、第１のサブフィールドでは与えられた階調データを補正したデータに変換し、この補正表示データにより駆動し、第２サブフィールドではそのまま保持し駆動を行わない、第３のサブフィールドでは与えられた階調表示データにより駆動することにより、液晶表示の応答の高速化を実現する。偶数フィールド期間では、第２のサブフィールドでは与えられた階調表示データにより駆動し、第２、第３のサブフィールドではそのまま保持し駆動を行わない。
【０１０７】
本実施形態の駆動方法により、第１のサブフィールドでは表示データに応じた輝度（目標到達輝度）まで応答変化し、第３のサブフィールドでは表示データに応じた輝度（目的到達輝度）の表示を行うため、本駆動により、液晶の輝度応答の高速化を実現することができる。さらに、本実施形態では、インターレースのＮＴＳＣ信号の表示データを解像度ＸＧＡ（１０２４×７６８ドット）の液晶パネルへの拡大表示を同時に実現する。
本実施形態の液晶表示装置の構成例は、上記図２２に示す第３の実施形態と同様であり、以下では上記第３の実施形態と異なる点についてのみ説明する。
【０１０８】
本実施形態において、液晶タイミングコントローラ３０４では、供給される表示データＩＮｄａｔａを受け取り、２つのポートがあるメモリ回路のいずれかのポートからに１フレーム分の表示データＩＮｄａｔａを１ライン毎に、入力の水平同期信号のＨＳＹＮＣの水平期間に書き込みを行い、入力の水平同期信号のＨＳＹＮＣの水平期間を３等分した第１から第３の期間それぞれで１ラインの表示データを書込みとは別のポートで入力の３倍の速度で読み出しを行う。
【０１０９】
つまり図２９において、フレーム１では入力の水平同期信号ＨＳＹＮＣの水平期間にポート１（２０８、２０９）で書き込みを行い、入力の水平同期信号ＨＳＹＮＣの水平期間を３等分した第１から第３の期間にポート２（２１０、２１１）から読み出しを行う。また、フレーム２では、入力の水平同期信号ＨＳＹＮＣの水平期間にポート２（２１０、２１１）で書き込みを行い、入力の水平同期信号ＨＳＹＮＣの水平期間を３等分した第１から第３の期間にポート１（２０８、２０９）から読み出しを行う。
【０１１０】
例えば１ライン目の表示データは、奇数フィールドを３等分した第１サブフィールドにおいては予め設定した方法によりデータ変換処理を行い、データドライバ３０２へ供給し（ＯＵＴｄａｔａ）、液晶パネル３０１を表示させる。次の奇数フィールドを３等分した第２サブフィールドでは１ライン目は駆動せずに表示を保持する。次の奇数フィールドを３等分した第３サブフィールドではメモリ回路から読み出した表示データをそのまま、データドライバ３０２に供給し、液晶パネル３０１を表示させる。
【０１１１】
次に、偶数フィールドを３等分した第１サブフィールドでは１ライン目は駆動せずに表示を保持する。次の偶数フィールドを３等分した第２サブフィールドにおいてはメモリ回路から読み出した表示データデータをそのままデータドライバ３０２へ供給し（ＯＵＴｄａｔａ）、液晶パネル３０１を表示させる。次の偶数フィールドを３等分した第３サブフィールドでは１ライン目は駆動せずに表示を保持し、液晶パネル３０１を表示させる。
【０１１２】
走査ドライバ３０３−１、３０３−２、３０３−３には、入力の水平同期信号ＨＳＹＮＣの３倍速の信号である走査クロックＣＬ３−１、ＣＬ３−２、ＣＬ３−３がそれぞれ供給され、液晶駆動用の垂直同期信号ＦＬＭ−１、ＦＬＭ−２、ＦＬＭ−３は１フィールド周期（入力フレーム周期の１／３）の信号が供給され、データドライバ３０２には、入力の水平同期信号ＨＳＹＮＣの２倍速の信号であるデータ水平クロックＣＬ１が供給されている。
この液晶表示装置の動作の詳細を、図２９から図３８のタイミング図を用いて説明する。
【０１１３】
本実施形態では、図２９に示すように、奇数フィールド、偶数フィールドをそれぞれ３つのサブフィールドに分け、奇数フィールドの第１サブフィールドでは走査ライン１〜２５６を走査パターンＳＣ１で、走査ライン２５７〜５１２を走査パターンＳＣ２で、走査ライン５１３〜７６８を走査パターンＳＣ３で順次走査し、第２サブフィールドでは走査ライン１〜２５６を走査パターンＳＣ４で、走査ライン２５７〜５１２をを走査パターンＳＣ１で、走査ライン５１３〜７６８を走査パターンＳＣ２で順次走査し、第３サブフィールドでは走査ライン１〜２５６を走査パターンＳＣ５で、走査ライン２５７〜５１２をを走査パターンＳＣ４で、走査ライン５１３〜７６８を走査パターンＳＣ１で順次走査する。
【０１１４】
また、偶数フィールドの第１サブフィールドでは走査ライン１〜２５６を走査パターンＳＣ６で、走査ライン２５７〜５１２をを走査パターンＳＣ５で、走査ライン５１３〜７６８を走査パターンＳＣ４で順次走査し、第２サブフィールドでは走査ライン１〜２５６を走査パターンＳＣ３で、走査ライン２５７〜５１２をを走査パターンＳＣ６で、走査ライン５１３〜７６８を走査パターンＳＣ５で順次走査し、第３サブフィールドでは走査ライン１〜２５６を走査パターンＳＣ２で、走査ライン２５７〜５１２をを走査パターンＳＣ３で、走査ライン５１３〜７６８を走査パターンＳＣ６で順次走査する。
【０１１５】
以上の駆動方法により、１フレーム期間で１つの画素（走査ライン）が奇数フィールド、偶数フィールドそれぞれ３サブフィールド、合計６サブフィールド中の３つのサブフィールドで３回選択され、印加データ（ＯＵＴｄａｔａ）が書き込まれる。このとき、走査ドライバ３０３の選択動作は図３１、図３２、図３３、図３４、図３５、図３６にそれぞれ示す、走査パターンＳＣ１、走査パターンＳＣ２、走査パターンＳＣ３、走査パターンＳＣ４、走査パターンＳＣ５、走査パターンＳＣ６のように、走査クロックＣＬ３に同期して同時に２ラインを選択する場合と、１ラインのみ選択する場合がある。
【０１１６】
図３１の走査パターンＳＣ１では入力水平期間の第１期間に選択動作を行い、図３２の走査パターンＳＣ２では入力水平期間の第２期間に選択動作を行い、図３３の走査パターンＳＣ３では入力水平期間の第３期間に選択動作を行い、図３４の走査パターンＳＣ４では入力水平期間の第３期間に選択動作を行い、図３７の走査パターンＳＣ５では入力水平期間の第２期間に選択動作を行い、図３８の走査パターンＳＣ６では入力水平期間の第１期間に選択動作を行う。
【０１１７】
この動作は、図３１〜図３６に示すＤＯＦＦ信号により走査ドライバ３０２の出力をマスクすることにより実現できる。そして図３１〜図３６に示すように、入力水平期間の第１、第２、第３期間において、順次、２ライン同時選択（走査ライン１、２）、１ライン選択（走査ライン３）、２ライン同時選択（走査ライン４、５）、２ライン同時選択（走査ライン６、７）、１ライン選択（走査ライン８）を繰り返すことで、入力水平期間の５期間で８ラインを選択することとなり、５ラインの表示データを８ラインに１．６倍に拡大できる。
【０１１８】
つまり、４８０ラインの入力データを１．６倍の７６８ラインに拡大が可能となり４８０ラインの表示データを解像度ＸＧＡの液晶パネルに表示できる。また、同様に水平方向の表示データはデータドライバ３０２で２画素同時取り込みと１画素取り込みを順次行うことで、６４０画素を１．６倍の１０２４画素に拡大する。
【０１１９】
本実施形態の走査ドライバ３０３、データドライバ３０２の構成と動作は、上述した図６〜図９に示す第１の実施形態と同様であり、その説明は省略する。なお、本実施形態では、走査ドライバ３０３による走査ラインの同時選択により走査方向の拡大表示を、データドライバ３０２によるデータの同時取り込みにより水平ライン方向の拡大表示を実現する。
【０１２０】
再び、本実施形態の液晶表示装置の動作を説明する。
【０１２１】
本実施形態において、液晶タイミングコントローラ３０４は、ＩＮｄａｔａを受け取り、２つのポートを持つメモリ回路のどちらかに１フレーム分の表示データＩＮｄａｔａを１ライン毎に書き込みを行う。一方、表示データの読み出しは書込みとは別のポートで、入力の水平期間を３等分した第１から第３期間それぞれで１ラインの表示データを、入力の３倍の速度で読み出しを行う。
【０１２２】
つまり図３７、図３８において、フレーム１では、ポート１（３０８、３０９）で書き込みを行いポート２（３１０、３１１）から読み出しを行い、フレーム２では、ポート２（３１０、２１１）で書き込みを行いポート１（３０８、３０９）から読み出しを行う。また、液晶タイミングコントローラ３０４は、ＶＳＹＮＣ，ＨＳＹＮＣを３倍速化した液晶の同期信号ＦＬＭ、ＣＬ１、ＣＬ３をデータドライバ３０２及び走査ドライバ３０３に供給する。走査ドライバ３０３−１、３０３−２、３０３−３に走査ラインの１〜２５６、２５７〜５１２、５１３〜７６８を対応させ、それぞれのＦＬＭ−１、ＦＬＭ−２、ＦＬＭ−３とＤＯＦＦ−１、ＤＯＦＦ−２、ＤＯＦＦ−３を図３１〜図３６のように制御することで各走査ラインを各サブフィールドでＳＣ１、ＳＣ２、ＳＣ３、ＳＣ４、ＳＣ５、ＳＣ６に制御できる。
【０１２３】
さらに、奇数フィールド期間のＳＣ１の奇数ラインデータの走査ラインではフレームメモリから読み出した表示データを予め定めた変換方法によりデータ変換処理を行い、ＯＵＴｄａｔａとしてデータドライバ３０２に供給し、偶数フィールド期間のＳＣ６の偶数ラインデータの偶数ラインデータの走査ラインではフレームメモリから読み出した表示データを予め定めた変換方法によりデータ変換処理を行い、ＯＵＴｄａｔａとしてデータドライバ３０２に供給する。また、ＳＣ２、ＳＣ３、ＳＣ４、ＳＣ５の走査ラインではフレームメモリから読み出した表示データをそのまま、データドライバ３０２に供給する。
【０１２４】
本実施形態の駆動方法によれば、ＴＦＴ液晶パネル３０１の走査線にはＣＬ３に従って先頭ライン（ライン１）から順次ゲート書き込みパルスが印加される。一方、信号線にはＣＬ１に従い、ＯＵＴｄａｔａに応じた階調電圧が供給され、ゲートパルスが印加された走査線上の表示画素に表示を行う。従って、ライン１、ライン２上の画素Ａ、画素Ｂにおいては、奇数フィールドのサブフィールド１では、走査ライン１、２にゲート書き込みパルスが供給された時に信号線にはその時の予め定めた変換方法によりデータ変換処理を行った表示データ値ＤＬ１Ｆ１に応じた信号電圧が供給され、次のゲート書き込みパルスが供給されるまで、この信号電圧に応じたドレイン電圧を保持し表示を行う。
【０１２５】
次のサブフィールド２では、走査ライン１、２にゲート書き込みパルスは供給しないで保持動作を行い、次のサブフィールド３では、走査ライン１、２にゲート書き込みパルスが供給された時に信号線にはデータ変換処理を行っていないその時の表示データ値ＤＬ１Ｆ１に応じた信号電圧が供給され、次のゲート書き込みパルスが供給されるまで、この信号電圧に応じたドレイン電圧を保持し表示を行う。この時、液晶は奇数フィールドのサブフィールド１で前偶数フィールドの表示輝度レベルからＬ１Ｆ１輝度（フィールド１の到達輝度）レベルに応答し、サブフィールド３ではＬ１Ｆ１輝度レベルを保持しする応答になる。次の偶数フィールドではサブフィールド２ではＬ１Ｆ１輝度レベルを保持する応答になる。
【０１２６】
ここで液晶タイミングコントローラ３０６に内蔵する表示データ変換回路３３０は、上述した第１の実施形態のものと同様であり、本実施形態ではその説明を省略する。データ変換回路３３０では前フレームから現フレームへの遷移を考慮した、応答が高速化するよう変換テーブルに設定するものとする。尚、この変換テーブル１３２の設定値は、液晶パネル３０１の応答性能、駆動温度条件、駆動速度（１サブフィールド時間）などのパラメータにあわせて設定する必要がある。
【０１２７】
以上、説明したように１フレーム期間の応答波形は、図３０に示すように、奇数ラインデータを表示するラインは、奇数フィールドのＳＣ１走査期間では表示する表示データをデータ変換処理した表示データで駆動し、表示する表示輝度まで応答し、ＳＣ５走査期間ではデータ変換処理を行わないで表示する表示データで駆動し、表示する表示輝度を保持し、偶数フィールドのＳＣ３走査期間ではデータ変換処理を行わないで表示する表示データで駆動し、表示する表示輝度を保持する応答波形となる。
【０１２８】
また、偶数ラインデータを表示するラインは、偶数フィールドのＳＣ６走査期間では表示する表示データをデータ変換処理した表示データで駆動し、表示する表示輝度まで応答し、ＳＣ２走査期間ではデータ変換処理を行わないで表示する表示データで駆動し、表示する表示輝度を保持し、奇数フィールドのＳＣ４期間ではデータ変換処理を行わないで表示する表示データで駆動し、表示する表示輝度を保持する応答波形となる。
本実施形態によれば、液晶表示の輝度応答の高速化を実現することができる。さらに、本実施形態によれば、インターレース信号であるＮＴＳＣ表示信号の表示データを解像度ＸＧＡ（１０２４×７６８ドット）の液晶パネルへの拡大表示を同時に実現する。
【０１２９】
また、上述した各実施形態として、液晶タイミングコントローラ、フレームメモリまたはラインメモリ、信号ドライバ、走査ドライバ、及び液晶パネルを一体化した液晶表示装置として説明したが、これに限らず、これらを組み合わせた形態でも何ら問題は無く、同様の効果を得ることが可能である。例えば、液晶タイミングコントローラとフレームメモリを合わせ一つの制御回路とし、信号ドライバ、走査ドライバ、液晶パネルとを一つの液晶モジュールとした２回路構成でも良い。また、液晶タイミングコントローラ、フレームメモリを信号ドライバ（または走査ドライバ）に内蔵した液晶表示装置の形態でも良い。
【０１３０】
【発明の効果】
本発明によれば、液晶の応答速度を１フレーム周期以下とすることが可能な液晶駆動方法と、この方法を用いた低コストで製造可能な高画質の液晶表示装置とを提供することができる。
さらに、本発明によれば、１フレームを２分割または３分割したフィールド駆動を行い、予め定めた変換方法によりデータ変換処理を行い補正表示データに変換し、この表示データにより第１のフィールドを駆動し、第２のフィールドでは、データ変換を行わない表示データにより駆動することができる。この駆動方法により、第１のフィールドでは変換した表示データに応じた輝度（目標到達輝度）まで応答変化し、第２のフィールドではその目標到達輝度を保持する応答が可能となり、液晶の輝度応答を高速化でき、動画を高画質に表示可能となる。
【０１３１】
さらに、本発明によれば、走査ドライバで複数走査ラインを同時に選択する構成とすることで、入力する表示データの解像度を液晶パネルの解像度に対応してラインを拡大して表示することが可能となる。
【図面の簡単な説明】
【図１】本発明による液晶表示応答波形を示す説明図。
【図２】ＴＦＴ液晶における動画ボケを説明するための説明図。
【図３】第１の実施形態における液晶表示装置の構成の一例を示すブロック図。
【図４】第１の実施形態における走査ラインのタイミング図。
【図５】第１の実施形態における走査ラインのタイミング図。
【図６】本発明の走査ドライバの構成例を示すブロック図。
【図７】本発明のシフトレジスタの構成例を示すブロック図。
【図８】本発明のデータドライバの構成例を示すブロック図。
【図９】本発明のシフトレジスタの構成例を示すブロック図。
【図１０】本発明のラッチ選択信号のタイミング図。
【図１１】第１の実施形態における液晶タイミングコントローラのタイミング図。
【図１２】液晶の輝度応答を示す説明図。
【図１３】本発明のデータ変換回路の構成例を示すブロック図。
【図１４】第１の実施形態における液晶の輝度応答を示す説明図。
【図１５】第２の実施形態における液晶の輝度応答を示す説明図。
【図１６】第２の実施形態における液晶表示装置の構成の一例を示すブロック図。
【図１７】第２の実施形態における走査ラインのタイミング図。
【図１８】スキャンパターンＳＣ１における走査ラインのタイミング図。
【図１９】スキャンパターンＳＣ２における走査ラインのタイミング図。
【図２０】第２の実施形態における液晶タイミングコントローラのタイミング図。
【図２１】第３の実施形態における液晶の輝度応答を示す説明図。
【図２２】第３の実施形態における液晶表示装置の構成の一例を示すブロック図。
【図２３】第３の実施形態における走査ラインのタイミング図。
【図２４】スキャンパターンＳＣ１における走査ラインのタイミング図。
【図２５】スキャンパターンＳＣ２における走査ラインのタイミング図。
【図２６】スキャンパターンＳＣ３における走査ラインのタイミング図。
【図２７】第３の実施形態における液晶タイミングコントローラのタイミング図。
【図２８】第３の実施形態における液晶タイミングコントローラのタイミング図。
【図２９】第４の実施形態における走査ラインのタイミング図。
【図３０】第４の実施形態における液晶の輝度応答を示す説明図。
【図３１】スキャンパターンＳＣ１における走査ラインのタイミング図。
【図３２】スキャンパターンＳＣ２における走査ラインのタイミング図。
【図３３】スキャンパターンＳＣ３における走査ラインのタイミング図。
【図３４】スキャンパターンＳＣ４における走査ラインのタイミング図。
【図３５】スキャンパターンＳＣ５における走査ラインのタイミング図。
【図３６】スキャンパターンＳＣ６における走査ラインのタイミング図。
【図３７】第４の実施形態における液晶タイミングコントローラのタイミング図。
【図３８】第４の実施形態における液晶タイミングコントローラのタイミング図。
【符号の説明】
１００…液晶表示装置
１０１…ＴＦＴ液晶パネル
１０２…データドライバ
１０３…走査ドライバ
１０４…液晶タイミングコントローラ
１０５…メモリ回路
１２０…表示制御入力信号群
１２１…入力表示データ
１０６…液晶表示データ
１０７…信号ドライバ駆動信号群
ＣＬ３…走査ラインクロック
ＦＬＭ…フレームスタート信号。
【図１】
0003749433.tif 000002
【図２】
0003749433.tif 000003
【図３】
0003749433.tif 000004
【図４】
0003749433.tif 000005
【図５】
0003749433.tif 000006
【図６】
0003749433.tif 000007
【図７】
0003749433.tif 000008
【図８】
0003749433.tif 000009
【図９】
0003749433.tif 000010
【図１０】
0003749433.tif 000011
【図１１】
0003749433.tif 000012
【図１２】
0003749433.tif 000013
【図１３】
0003749433.tif 000014
【図１４】
0003749433.tif 000015
【図１５】
0003749433.tif 000016
【図１６】
0003749433.tif 000017
【図１７】
0003749433.tif 000018
【図１８】
0003749433.tif 000019
【図１９】
0003749433.tif 000020
【図２０】
0003749433.tif 000021
【図２１】
0003749433.tif 000022
【図２２】
0003749433.tif 000023
【図２３】
0003749433.tif 000024
【図２４】
0003749433.tif 000025
【図２５】
0003749433.tif 000026
【図２６】
0003749433.tif 000027
【図２７】
0003749433.tif 000028
【図２８】
0003749433.tif 000029
【図２９】
0003749433.tif 000030
【図３０】
0003749433.tif 000031
【図３１】
0003749433.tif 000032
【図３２】
0003749433.tif 000033
【図３３】
0003749433.tif 000034
【図３４】
0003749433.tif 000035
【図３５】
0003749433.tif 000036
【図３６】
0003749433.tif 000037
【図３７】
0003749433.tif 000038
【図３８】
0003749433.tif 000039